(57)【要約】【課題】独立した吐出操作部材が操作部壁の開口に上方から着脱できて、しかも、双方間に水が及んでも特別なシール部材の装着のない安価な構造にて電気装備品への影響をなくせるものとする。【解決手段】器体１の上端の前部側への張り出し部３１がなす操作部３０で、独立した吐出操作部材６１の押下操作を吐出スイッチ６２に伝達して内容液を吐出して使用に供するのに、操作部３０に、その前記吐出操作部材６１が吐出スイッチ６２に押下操作を伝達する操作域６３を囲う周溝６４を設け、この周溝６４の外周壁６４ａが形成する開口６４ｂ内に吐出操作部材６１を上方から嵌め入れて押下操作できるように支持したことにより、上記の目的を達成する。【選択図】図１
2008220411.tif 000002
【特許請求の範囲】
【請求項１】
定置できる器体を有して、内容液をヒータで加熱して湯沸しや保温を行って貯湯し、貯湯している内容液を、器体の上端の内容液の給排を行う開口部から前部側に張り出した張り出し部の上面がなす操作部に、独立した吐出操作部材の押下操作を直接または間接に吐出スイッチに伝達して吐出手段を働かせ、前記張り出し部を経てこの張り出し部から吐出口が下向きに開口した吐出路を通じ吐出し、使用に供する電気貯湯容器において、
前記操作部に、その前記吐出操作部材が吐出スイッチに押下操作を伝達する操作域を囲う周溝を設け、この周溝の外周壁が形成する開口内に前記吐出操作部材を上方から嵌め入れて押下操作できるように支持したことを特徴とする電気貯湯容器。
【請求項２】
周溝が形成する開口は吐出操作部材よりも若干大きく、かつ平面視してほぼ相似形である請求項１に記載の電気貯湯容器。
【請求項３】
前記操作域に吐出操作部材の押下を吐出スイッチに伝達する樹脂ばね構造の仲介部を設けた請求項１、２のいずれか1項に記載の電気貯湯容器。
【請求項４】
周溝の底部は一方から他方に低くなっている請求項１〜３のいずれか１項に記載の電気貯湯容器。
【請求項５】
周溝の底部の最低位部に下方への排水孔を設けてある請求項４に記載の電気貯湯容器。
【発明の詳細な説明】
【技術分野】
【０００１】
本発明は内容液を加熱して湯沸しや保温を行い貯湯し使用に供する電気貯湯容器に関し、詳しくは、定置できる器体を有して内容液をヒータで加熱して湯沸しや保温を行って貯湯し、貯湯している内容液を、器体の上端の内容液の給排を行う開口の口縁外周が前部側に張り出した張り出し部の上面がなす操作部に、独立した吐出操作部材の押下操作を直接または間接に吐出スイッチに伝達して吐出手段を働かせ、前記張り出し部を経てこの張り出し部から吐出口が下向きに開口した吐出路を通じ吐出し、使用に供する電気貯湯容器に関するものである。
【背景技術】
【０００２】
長年の間、このような電気貯湯容器での操作部は、専ら、操作部壁に切り込みを入れてばね性を持たせた樹脂ばねといわれるスイッチ操作部（例えば、特許文献２、図５の沸騰用のボタン２０、ロック解除用のボタン２１参照。）を複数持ち、シール性を有して貼り付けられる樹脂シート（例えば、特許文献２、図５の表示シール３８参照。）などの銘板で覆って、前記切り込みに対するシール性を発揮するのに併せ、スイッチ操作部に対応する位置表示や、ランプ表示部、文字表示などを有したものが主流であった。
【０００３】
しかし、樹脂ばね式のスイッチ操作部では耐久性などの面から大きさが限られ、銘板上の操作位置表示は大きくても、その下のスイッチ操作部は大きくないし、押し込み量は銘板の面内変形限度によって制限を受けるため、吐出操作という、ややもすれば力が入り、また、強い押し込み意識を以っての操作に不便さを感じさせたり、操作過剰分に応じ操作反力を余計に受ける不具合もある。
【０００４】
これに対し、押下操作する独立した吐出操作部材を持った電気貯湯容器は既に知られている（例えば、特許文献１、図２の給湯つまみ１３、特許文献２、図１、図３、図４の給湯用のボタン３４、特許文献３の図１、図２の操作部材３２参照。）。このように、独立した吐出操作部材を設けて押下操作するような場合、押圧操作面を十分に大きく取れるし、銘板による面内変形限度による操作量制限も受けないので、上記のような問題を解消することができる。
【特許文献１】特開平６−３４３５５４号公報
【特許文献２】特開２００１−１６９９１８号公報
【特許文献３】特開２００２−４５５号公報
【発明の開示】
【発明が解決しようとする課題】
【０００５】
しかし、独立した吐出操作部材を設けて押下操作するには、吐出操作部材を銘板から独立して操作部に露出させる必要がある。このため、操作部壁には吐出操作部材を露出させる開口を必要とし、特許文献２、３に記載のもののように、この開口と吐出操作部材との隙間をそのままにする構造では、操作部が器体の給排用の上端の開口に隣れていることなどが原因して、万一にも操作部に水が及ぶと前記隙間に侵入し、吐出操作部材直下のスイッチはもとより、操作部の下に設けられる回路基板、あるいは器体内に設けられる制御基板や電気装備品を損う可能性がある。また、特許文献１、図３の環状ゴム１４によって隙間を塞ぐ構造では、部品点数、組み立て工数が増大してコスト上昇の原因となる上、吐出操作部材の操作頻度が高いことも原因して環状ゴム１４の早期損傷を招きシール破壊が生じやすい問題がある。
【０００６】
さらに、特許文献１〜３に開示されている吐出操作部材はいずれも、操作部壁の開口に対し、上方への抜け止め構造を有して下方から嵌め入れる設置構造を採用しているため、組み立て後に吐出操作部材に不具合が見つかったり、不具合が生じたりしても、吐出操作部材は外部から単独で取り出せず、メンテナンスが困難であったり、できなかったりする問題もある。
【０００７】
本発明の目的は、上記のような問題に鑑み、独立した吐出操作部材が操作部壁の開口に上方から着脱できて、しかも、双方間に水が及んでも特別なシール部材の装着のない安価な構造にて電気装備品への影響をなくせる電気貯湯容器を提供することにある。
【課題を解決するための手段】
【０００８】
上記の目的を達成するために、本発明の電気貯湯容器は、定置できる器体を有して、内容液をヒータで加熱して湯沸しや保温を行って貯湯し、貯湯している内容液を、器体の上端の内容液の給排を行う開口部から前部側に張り出した張り出し部の上面がなす操作部に、独立した吐出操作部材の押下操作を直接または間接に吐出スイッチに伝達して吐出手段を働かせ、前記張り出し部を経てこの張り出し部から吐出口が下向きに開口した吐出路を通じ吐出し、使用に供する電気貯湯容器において、前記操作部に、その前記吐出操作部材が吐出スイッチに押下操作を伝達する操作域を囲う周溝を設け、この周溝の外周壁が形成する開口内に前記吐出操作部材を上方から嵌め入れて押下操作できるように支持したことを特徴としている。
【０００９】
このような構成では、独立した吐出操作部材は、器体上端の開口から前部側への張り出し部の上面がなす操作部に十分な操作面積と押下ストロークを確保して位置でき、定置された器体上で容易かつユーザの吐出操作への思いに対応して押下操作されて、それを直接または間接に吐出スイッチに確実に伝達して吐出手段を働かせ、内容液を吐出路を通じ張り出し部から下向きに開口した吐出口から吐出させ、使用に供することができる。特に、この吐出操作部材は、操作部における吐出操作部材が吐出スイッチに押下操作を伝達する操作域を囲うように設けた周溝の外周壁がなす操作部上面への開口内で押下操作されるもので、操作部には吐出操作部材と周溝の外周壁がなす操作部上面への開口との隙間が露出していて、操作部に隣れる器体上端の開口からの給排液などが及んで前記隙間に侵入することがあっても、浸入水は周溝内へと伝い落ちその底部に捕集される。このため、吐出操作部材による吐出スイッチに対する操作域はそれを囲う周溝の底よりも高いので、その底に捕集される水が及ぶことはなく、操作域に吐出操作部材の押下操作を吐出スイッチに直接伝達するための開口や、押下操作の伝達を仲介する樹脂ばね構造の仲介部による開口があっても、操作部下に侵入水が及ぶのを防止することができる。しかも、吐出操作部材は周溝が形成する開口に上方から嵌め入れて押下操作できるように支持するのを利用して、弾性的な着脱、支持の組み立て分解を上方からできるようにする設計をすれば、上方から単独に着脱してメンテナンスできる。
【００１０】
上記において、さらに、周溝が形成する開口は、吐出操作部材よりも若干大きく、かつ平面視してほぼ相似形であることを特徴とすることができる。
【００１１】
このような構成では、上記に加え、さらに、吐出操作部材と周溝が形成する開口とは、相互間のほぼ均一な隙間によって互いが擦れ合うことなくスムーズに押下動作および復帰動作ができ、かつ、水が部分的に侵入しやすくなるのを防止できる。
【００１２】
また、上記において、さらに、前記操作域に吐出操作部材の押下を吐出スイッチに伝達する樹脂ばね構造の仲介部を設けたことを特徴とすることができる。
【００１３】
このような構成では、上記に加え、さらに、吐出操作部材の押下操作の吐出スイッチへの伝達を樹脂ばね構造の仲介部で仲介することによって、吐出操作部材が操作部壁の内側まで入り込むような吐出操作部材のかさ高構造を避けて本発明が実現し、しかも、仲介部が開口を持つ樹脂ばね構造であっても水の侵入の心配がないのでシール材の貼り合わせが不要でシール材により十分な押下操作量が損なわれることはない。
【００１４】
また、上記において、さらに、周溝の底部は一方から他方に低くなっていることを特徴とすることができる。
【００１５】
このような構成では、上記に加え、さらに、周溝への捕集水を周溝の底部の低くした特定の箇所に集められるので、不用意に散らばるのを防止できる。
【００１６】
また、上記において、さらに、周溝の底部の最低位部に下方への排水孔を設けてあることを特徴とすることができる。
【００１７】
このような構成では、上記に加え、さらに、最低位部が特定の個所であることにより、そこに排水孔を設けることで、問題が無いか少ない箇所に排水して、周溝内に侵入水がいつまでも存在することを回避することができる。
【００１８】
本発明のそれ以上の目的および特徴は、以下の詳細な説明で明らかになる。本発明の各特徴は、それ単独で、あるいは可能な限り種々な組合せで複合して用いることができる。
【発明の効果】
【００１９】
本発明の電気貯湯容器によれば、独立した吐出操作部材によって容易かつユーザの吐出操作への思いに対応した押下操作ができ、それを吐出スイッチに確実に伝達して吐出手段を働かせ、内容液を吐出させて使用に供される便利さを確保して、しかも、操作部における吐出操作部材が吐出スイッチに押下操作を伝達する操作域をそれよりも低い底部を有した周溝が囲っており、この周溝の外周壁がなす操作部への開口と吐出操作部材との間にできる環状の隙間のどの部分から水が侵入しても、周溝の外周壁を伝い落ちて周溝の底部に捕集され、底部よりも高い吐出操作部材下の操作域に及びにくく、この操作域に、吐出操作部材の吐出操作を吐出スイッチに伝達するための何らかの開口があっても操作部内側への水の侵入を、特別なシール部材を採用する場合の部品点数や組み立て工数の増大なしに防止し、吐出スイッチなど内部電気装備品に対する防水を図れる。しかも、吐出操作部材は周溝が形成する開口に上方から嵌め入れて押下操作できるように支持するのを利用した上方から単独に着脱できる設計により、上方から単独に着脱して容易にメンテナンスできる。
【００２０】
上記に加え、さらに、吐出操作部材と周溝が形成する開口との相互間のほぼ均一な隙間によって互いが擦れ合うことなくスムーズに押下動作および復帰動作ができるし、水が部分的に侵入しやすくなるのを回避できる。
【００２１】
また、上記に加え、さらに、吐出操作部材の押下操作の吐出スイッチへの伝達を樹脂ばね構造の仲介部で仲介して、吐出操作部材が成形に不利なかさ高構造を避けられ、しかも、仲介部が樹脂ばね構造上の開口には水の侵入の心配がなくシール材の貼り合わせを省略できるし、シール材により十分な押下操作量が損なわれることはない。
【００２２】
また、上記に加え、さらに、周溝への捕集水を周溝の底部の低くした特定の箇所に集められるので、不用意に散らばるのを防止できる。
【００２３】
また、上記に加え、さらに、特定の箇所である最低位部に設けた排水孔によって、問題が無いか少ない箇所に排水し、周溝内に侵入水がいつまでも存在して、器体の取り扱いによっては開口のある操作域に及んでしまうようなことを回避することができる。
【発明を実施するための最良の形態】
【００２４】
以下、本発明に係る実施の形態について図１〜図１１を参照しながら詳細に説明し、本発明の理解に供する。
本実施の形態は、家庭用の電気ポットの場合の一例であり、ステンレス鋼製の真空二重容器を外装ケースに収容した基本構成を有している。しかし、本発明はこれに限定されることはなく、用途や真空二重容器の有無、真空二重容器の材質、外装ケースの有無は自由に選択することができる。もっとも、ステンレス鋼は金属の中で熱伝導性が低く、かつ曲げ剛性、強度が十分であり、しかも防錆効果を持つので、飲料用の電気貯湯容器には好適である。
【００２５】
本実施の形態の電気ポットは図８、図９に示すように、ステンレス鋼製の内筒４と外筒５により構成される金属製の真空二重容器３と、内筒４内の内容液を加熱するように真空二重容器３の一重底部に当てがったヒータ１１とを備え、これらを外装ケース２に収容して器体１を構成している。このように真空二重容器３が曲げ剛性および強度共に高い金属製であることにより壁厚および真空空間１６３の層が小さくてよくスリムでありながらその材質と相まって高い保温力を発揮することができる。しかし、真空二重容器３はその胴部が外部に露出して器体１を構成するようにしてもよい。真空二重容器３には内容液を器体１外に吐出する吐出路２５が接続されている。この吐出路２５は真空二重容器３と外装ケース２との間を立ち上がり、器体１の前部に吐出口２５ｄが臨んでいる。吐出路２５の途中には電動ポンプ２６が設けられ、内容液を電動にて吐出できるようにしている。これに併せ、真空二重容器３の口部３ｂに通じる器体１上端の開口１２を開閉できるように覆う蓋１３を有し、この蓋１３に手動のベローズポンプが設けられることもある。本実施の形態では設けていない。
【００２６】
吐出路２５の立ち上がり部２５ａは透明管としてそこでの液量が器体１の図５に示す液量表示窓１６２から透視できるようにしている。しかし、吐出路２５の立ち上がり部２５ａの上部に吐出流によって回転する流量センサを併せ設けることがある。流量センサによると吐出の開始、終了、吐出流量、吐出量、残量などが自動的に検出できる。吐出路２５の立ち上がり部２５ａの上部、具体的には真空二重容器３内の満水位を超えた高さ位置に、器体１が前傾時、や横転したときに内容液が吐出路２５を通じて流れ出るのを防止する前傾時、時、横転時止水弁４０が設けられている。また、吐出路２５は立ち上がり部２５ａから張り出し部３１の下面を覆うパイプカバー部２ｄとの間に入る前記前傾時、時、横転時止水弁４０を持った逆Ｕ字ユニット２５ｂを有し、この逆Ｕ字ユニット２５ｂの先端にある吐出口２５ｄがパイプカバー部２ｄを通じて下向きに外部に開口するようにしている。
【００２７】
真空二重容器３の一重底部に当てがったヒータ１１の背部には、金属製の遮熱板１８７が設けられ、真空二重容器３の外筒５の底部下面に溶接などして取り付けた取り付け金具１８８にねじ１８９によりねじ止めし、遮熱板１８７とヒータ１１との間に金属製のバックアップ板９２および図示しないばね部材を挟み込み、このばね部材によってヒータ１１を一重底部に押し付け密着させている。
【００２８】
外装ケース２は樹脂製の底部材１１１と肩部材６との間に金属製の胴部１１２を挟み込む組み立て構造と、図９に示す肩部材６が形成する器体１の開口１２の内周下部に設けた上向き段部１２ａに対し、真空二重容器３の上端フランジ部３ａを載置して吊持し、この真空二重容器３の底部と底部材１１１とを溶接付けなどした図示しない取付金具およびねじにより連結した連結構造とで外装ケース２を一体化し、また、分離可能としている。
【００２９】
蓋１３は図９に示すように、肩部材６の後部にある軸受部１２２にヒンジピン１２０によりヒンジ連結して、器体１の開口１２を真空二重容器３の口部３ｂと共に開閉する蓋１３を器体１に開閉できるようにしてある。軸受部１２２には蓋１３側に設けたヒンジピン１２０を着脱できるように受け入れて軸受する開放部１２２ａと、この開放部１２２ａをばね１２３の付勢で閉じるストッパ１２４を設けてあり、ストッパ１２４を開にすると蓋１３を半開きにした状態でヒンジピン１２０を軸受部１２２から蓋１３を伴い出し入れでき、これが蓋１３の着脱となる。また、蓋１３は真空二重容器３の口部３ｂを閉じる部分を金属製、具体的にはステンレス鋼製の内蓋１２６として蓋１３の内側に当てがってねじ止めし、蓋１３下面と内蓋１２６外周との間に挟み込んだシール部材１２７が口部３ｂの内周に当接してシールするようにしている。
【００３０】
また、蓋１３には、図９に示すように真空二重容器３からの蒸気を外部に逃がす蒸気通路１２５が形成され、蓋１３の真空二重容器３内に面する位置の内側開口１２５ａと、外部に露出する外面に形成された外側開口１２５ｂとの間で通じるように形成されている。蒸気通路１２５の途中には、器体１が横転して内容液が侵入してきた場合にそれを一時溜め込み、あるいは迂回させて、外側開口１２５ｂに至るのを遅らせる安全経路１２５ｃを設けてある。これにより、器体１が横転して内容液が蒸気通路１２５を通じて外部に流出するまでに器体１を起こすなどの処置ができるようになる。また、蒸気通路１２５には器体１の横転時に、蒸気通路１２５に侵入しようとし、あるいは侵入した内容液が先に進むのを阻止するように自重などで働く転倒時止水弁１２５ｄが適所に適数設けられている。
【００３１】
さらに、蓋１３の前部には、蓋１３の閉じ位置で肩部材６側の図示しない係止部に係合して蓋１３を閉じ位置にロックするロック部材２１が設けられ、蓋１３が閉じられたときに係止部１９に自動的に係合するようにばね２２の付勢によってロック位置に常時突出するようにしている。これに対応して蓋１３にはロック部材２１を後退操作して前記ロックを解除するロック解除部材２３が設けられている。
【００３２】
電動ポンプ２６は遠心ポンプであって真空二重容器３の底部直ぐ下の位置に設けられ、真空二重容器３内から流れ込む内容液を吐出路２５を通じて器体１外に臨む吐出口２５ｄに向け送りだし、吐出口２５ｄから外部に吐出させ使用に供する。
【００３３】
器体１において図１、図３、図６に示すように、器体１の肩部材６の開口１２から前部側に嘴状に張り出す張り出し部３１が形成され、この張り出し部３１の上面は操作部３０とされている。この操作部３０には従来同様に、図１、図３に示すような樹脂ばねといわれるスイッチ操作部４１、４２、４３など複数持ち、図５に示すような樹脂シートなどの銘板４５を図６、図７に示すようにシール性を有して貼り合わせて水密状態に覆い、切り込みなどによる開口４４に対するシール性を発揮させるのに併せ、スイッチ操作部４１〜４３に対応する位置表示４６〜４８や、ランプ表示部４９〜５１、文字表示５２〜５４などを有したものとし、液晶表示部５５を設けている。因みに、スイッチ操作部４１〜４３は図５に示す銘板４５における保温選択、再沸騰、ロック解除の文字表示５２〜５４を持った位置表示４６〜４８に対応している。
【００３４】
外装ケース２の底部材１１１の下向きの凹部１１１ａ内には下方から回転座環１３７が回転できるように嵌め合せて設けられ、器体１がテーブル面などに定置されたときに回転座環１３７の上で軽く回転して向きを変えられるようにしてある。
【００３５】
本実施の形態では、特に、上記のような操作部３０において、図２に示すような独立した吐出操作部材６１を図１、図３〜図８に示すように設けて、その押下操作を直接または間接に図１、図４、図６に示す吐出スイッチ６２に伝達して吐出手段としての前記電動ポンプ２６を働かせ、前記張り出し部３１を経てこの張り出し部３１から吐出口２５ｄが下向きに開口した吐出路２５を通じ吐出し、使用に供するのに、操作部３０における図１、図４、図６に示すような吐出操作部材６１が吐出スイッチ６２に押下操作を伝達する操作域６３を囲う図１、図４に示すような周溝６４を設け、この周溝６４の外周壁６４ａが形成する開口６４ｂ内に吐出操作部材６１を図１〜図８に示すように上方から嵌め入れて押下操作できるように支持している。このような独立した吐出操作部材６１は、器体１上端の開口１２から前部側への張り出し部３１の上面がなす操作部３０に十分な操作面積と押下ストロークを確保して位置できる。これによって、定置された器体１上で容易かつユーザの吐出操作への思いに対応した強さや押下量にて押下操作されて、それを直接または間接に吐出スイッチ６２に確実に伝達して電動ポンプ２６を働かせ、内容液を吐出路２５を通じ張り出し部３１から下向きに開口した吐出口２５ｄから吐出させ、使用に供することができる。
【００３６】
特に、この吐出操作部材６１は、操作部３０における吐出操作部材６１が吐出スイッチ６２に押下操作を伝達する操作域６３を囲うように設けた周溝６４の外周壁６４ａがなす操作部３０上面への開口６４ｂ内で押下操作されるもので、操作部３０には吐出操作部材６１と周溝６４の外周壁６４ａがなす操作部３０上面への開口６４ｂとの図４〜図６に示すような隙間６５が露出していて、操作部３０に隣れる器体１上端の開口１２からの給排液などが及んで隙間６５に侵入することが万一あっても、浸入水は周溝６４内へと伝い落ちその底部６４ｃに捕集される。このため、吐出操作部材６１による吐出スイッチ６２に対する操作域６３はそれを囲う周溝６４の底部６４ｃよりも高いので、その底部６４ｃに捕集される水が操作域６３に及ぶことはない。従って、操作域６３に吐出操作部材６１の押下操作を吐出スイッチ６２に直接伝達するための開口や、図示例のように押下操作の伝達を仲介する樹脂ばね構造の仲介部６６による図１、図４、図６に示すような開口６７があっても、操作部３０下に侵入水が及ぶのを防止することができる。
【００３７】
この結果、独立した吐出操作部材６１によって容易かつユーザの吐出操作への思いに対応した押下操作ができ違和感や不満を与えないし、その押下操作を吐出スイッチ６２に確実に伝達して内容液を吐出させて使用に供せる便利さを確保した上で、操作部３０における吐出操作部材６１が吐出スイッチ６２に押下操作を伝達する操作域６３をそれよりも低い底部６４ｃを有した周溝６４が囲って、この周溝６４の外周壁６４ａがなす操作部３０への開口６４ｂと吐出操作部材６１との間にできる環状の隙間６５のどの部分から水が侵入しても、周溝６４の外周壁６４ａを伝い落ちて周溝６４の底部６４ｃに捕集され、底部６４ｃよりも高い吐出操作部材６１下の操作域６３に及びにくく、この操作域６３に、吐出操作部材６１の吐出操作を吐出スイッチ６２に伝達するための何らかの開口６７があっても操作部３０内側への水の侵入を、特別なシール部材を採用する場合の部品点数や組み立て工数の増大なしに、従ってそれによるコスト上昇なしに防止し、図４に示すように吐出スイッチ６２、液晶表示部５５内側の液晶表示モジュール６８、その他のスイッチや表示ランプを搭載した表示基板７１、図８、図９に示すように真空二重容器３と外装ケース２との胴部間に設けた制御基板７２、図９に示すように真空二重容器３と外装ケース２との底部間に設けた電源基板７３など内部電気装備品に対する防水を図れる。
【００３８】
なお、吐出操作部材６１は操作部３０とほぼ面一になるほぼ同じ上面高さの関係にあり、これによって操作部３０における吐出操作部材６１の下に対向する操作域６３は吐出操作部材６１の厚みないしは高さ方向寸法分だけ、操作部３０の上面から、従って操作部３０のスイッチ操作部４１〜４３の配列面より一段低い位置にあるが、それを囲う周溝６４の底部６４ｃよりも低くなることはない。また、操作部３０の上面には図１、図３、図４に示すように前記銘板４５を貼り合わせる貼り合わせ域を囲うようリブ３０ａを形成し、貼り合わせ時の位置決めとなるようにしている。
【００３９】
しかも、吐出操作部材６１は周溝６４が形成する開口６４ｂに上方から嵌め入れて押下操作できるように支持するのを利用して、弾性的な着脱、支持の組み立て分解を上方からできるようにする設計をすれば、上方から単独に着脱して容易にメンテナンスできる。
【００４０】
また、周溝６４が形成する開口６４ｂは、図３、図４、図８に示すように吐出操作部材６１よりも若干大きく、かつ平面視してほぼ相似形であるようにしている。これにより、吐出操作部材６１と周溝６４が形成する開口６４ｂとは、相互間のほぼ均一な隙間６５によって互いが擦れ合うことなくスムーズに押下動作および復帰動作ができ、かつ、水が部分的に侵入しやすくなるのを防止できる。しかし、隙間６５は最小隙間とするのが好適であり、それによって、水が侵入してもその表面張力で隙間６５のボリューム内に溜まって詰まり、周溝６４内に伝い落ちたり流れ落ちたりするのを、それ以上の侵入に併せ抑制することができる。もっとも、吐出操作部材６１の外周と周溝６４が形成する開口６４ｂ内周との間をシールする図示しないシール部材を吐出操作部材６１の外周か、開口６４ｂの内周かに設けると周溝６４内への水の侵入自体に対する防水効果が向上する。
【００４１】
また、吐出操作部材６１を図２、図４に示すような板状部材とすることで、高さ方向寸法を抑えると、その分だけ操作域６３の操作部３０上面に対して低くする段差を小さくし、周溝６４の深さを浅くしても底部６４ｃと操作域６３とに必要な高さの差をかさ低い条件下で満足することができ、器体１高さが徒に大きくなるようなことを防止することができる。
【００４２】
ここで、周溝６４の開口６４ｂとの間に隙間６５を形成する輪郭位置よりも若干内側に寄って操作域６３よりも低い位置まで延び、かつ、隙間６５を通じて浸入する侵入水を操作域６３側への濡れを生じさせずに周溝６４の底部６４ｃへ伝い落ちさせるといった図４に仮想線で例示するような水切りエッジ６１ａを設けると、隙間６５内のそのボリューム分の水が表面張力で安定している詰まり状態から、隙間６５の内側に漏れ出て吐出操作部材６１の裏面への濡れを生じ、万一操作域６３側に伝い移ろうとしても、水切りエッジ６１ａによって堰き止めて操作域６３よりも下まで伝い落して、操作域６３側に濡れ移るようなことなく周溝６４の底部６４ｃに捕集されるのを保証することができる。
【００４３】
また、操作域６３に既述した吐出操作部材６の押下を吐出スイッチ６２に伝達する樹脂ばね構造の仲介部６６を設けて、吐出操作部材６１の押下操作の吐出スイッチ６２への伝達を仲介することによって、吐出操作部材６１が操作部３０の壁の内側まで入り込むような吐出操作部材６１の成形に不利なかさ高構造を避けて本実施の形態が実現し、しかも、仲介部６６が開口６７を持つ樹脂ばね構造であっても水の侵入の心配がないのでシール材の貼り合わせが不要でシール材により十分な押下操作量が損なわれることはない。
【００４４】
また、周溝の底部６４ｃは図１、図４、図６、図７に示すように一方から他方に低くなっている。これにより、周溝６４への捕集水を周溝６４の底部６４ｃの低くした特定の箇所に集められるので、不用意に散らばるのを防止できる。特に、周溝６４の底部６４ｃの図１、図６、図７に示す最低位部６４ｄに下方への排水孔７４を設けてある。これにより、最低位部６４ｄが特定の個所であるのを利用して設けた排水孔７４により、問題が無いか少ない箇所に排水して、周溝６４内に侵入水がいつまでも存在すること、従って、それにより器体１を傾けるなどの取り扱いによっては開口６７のある操作域６３に水が及んでしまうようなことを回避することができる。
【００４５】
具体的には、排水孔７４は図６、図７に示すように、前記前傾時、横転時止水弁４０の後部上に位置して、排水を前傾時、横転時止水弁４０の上に流れ落ちるように案内し、前傾時、横転時止水弁４０を伝い落ちるようにしている。これによって、他の電気装備品に濡れ移ったり、流れ落ちるのを防止することができる。それには、例えば、排水は前傾時、横転時止水弁４０から吐出路２５の立ち上がり部２５ａへと伝い落ちさせて、外装ケース２と真空二重容器３との胴部間において器体1内底部まで案内し、その底部の電気装備品のない位置へと流れ落ち外部に排出させるようにすることができる。本実施の形態では、前傾時、横転時止水弁４０が中央部の膨らみを除いて天板４０ａを図６、図７に示すように前傾時、させて、流れ落ちてきた排水を制御基板７２から遠ざかる方向となる張り出し部３１の前部側に案内してパイプカバー部２ｄ上に流れ落ちるようにし、パイプカバー部２ｄ上に流れ落ちた排水はパイプカバー部２ｄの後部側に低くなり、かつ図８に示すように左右方向において中央部が最低位となる下に凸の湾曲形状をなしているのを利用して、その最低位部に設けた排水孔７５から器体１の前部下へ流下させるようにしている。図６、図７の矢印はそのような排水の流れを示している。
【００４６】
さらに、表示基板７１、制御基板７２、電源基板７３のそれぞれは、周溝６４への侵入水が排水される空間７６に位置しているが、いずれも空間７６から隔絶するカバーケース７７、７８、７９が施されていて、万が一排水が及ぶことがあっても電気装備品の内装域に侵入するようなことを防止できる。また、表示基板７１のカバーケース７７は排水孔７５下端よりも上に位置して排水孔７５部と繋がっているので、排水が濡れ移るのを防止しやすい。制御基板７２はカバーケース７８と共に図８に示すように、排水が案内される器体１の左右方向中央部から左側に片寄って位置するので、排水が及ぶのを防止しやすい。電源基板７３はカバーケース７９と共に、電動ポンプ２６は駆動モータと共に、排水がパイプカバー部２ｄ内から後部側に溢れたときに伝い落ちる外装ケース２の前部から後方へ大きく離れ定置しているので、排水が及ぶのを防止しやすい。
【００４７】
さらに、吐出操作部材６１の開口６４ｂ内への押下操作を可能とする支持構造について具体的に述べる。吐出操作部材６１は樹脂製で図２に示すような舌片状の板部材よりなり、背部左右両側の下方に延びる取り付け片６１ｂのそれぞれに、内向きに突出する軸６１ｃが一体成形されている。これに対し、上方に開口したボックス型の本体部８１ｂの周壁においてスリット８１ｃによる切り離し部を有して形成された左右側壁の上端に前記軸６１ｃが嵌り合う軸受片８１ａを一体成形した図２に示すような樹脂製の支持部材８１が組み合わさって、吐出操作部材６１を支持するようにしている。
【００４８】
詳述すると、支持部材８１は本体部８１ｂが平面視長方形をなし、図１に示すように周溝６４の最低位部６４ｄにおける操作域６３の背部範囲をその両側の排水孔７４の配置部から隔絶して形成した平面視長方形のボックス部６４ｅに図１、図６に示すように上方から嵌め入れられる。この嵌め入れに際し本体部８１ｂの底部の左右に下向きに突出した排水孔８１ｄをボックス部６４ｅ底部に形成した排水孔６４ｆに嵌め合せておく。この状態で、図６に示すように取り付け孔６４ｈに前記表示基板７１のカバーケース７７の一部を当てがって、本体部８１ｂの底部から立ち上がる取り付けボス８１ｅに下方からねじ８３をねじ込み、本体部８１ｂおよびカバーケース７７の一部を操作部３０のボックス部６４ｅを上下から挟み付けるように共締めしている。このように、支持部材８１の本体部８１ｂが上方に開口したボックス型であって隙間６５から水が侵入する可能性があっても、侵入水は排水孔６４ｆ、８１ｄを通じ、既述の排水孔７４からの排水とほぼ同じ条件にて前傾時、横転時止水弁４０の上に排水される。なお、図６、図７に示すようにカバーケース７７は周溝６４のボックス部６４ｅに対応する後部側の下方から当てがわれ、ボックス部６４ｅではそれの底部を兼ねる構造としてあり、前記本体部８１ｂの排水孔８１ｄが嵌り合う図６に示す排水孔６４ｆのほか、周溝６４の排水孔７４が嵌り合う図７に示す排水孔９１をも有したものとなっている。しかし、これに限られることはなく、操作部３０への周溝６４の形成構造や操作部３０の内側への排水構造は種々に設計することができる。
【００４９】
一方、吐出操作部材６１はその後部両側にある軸６１ｃを支持部材８１の軸受片８１ａの軸受孔８１ｆに軸受片８１ａの弾性を利用しての嵌め合わせを伴い、周溝６４が形成している開口６４ｂに上方から嵌め入れることで装着できる。この装着状態で吐出操作部材６１は軸６１ｃを中心に回動できるレバータイプの操作部材となり、押下操作されると軸６１ｃを中心に前部に向く自由端側が下動し、下面に形成されている押動突起６１ｄによって、操作部３０における操作域６３に形成している既述した樹脂ばね構造の仲介部６６を押動し、押動される仲介部６６がそれと対向している吐出スイッチ６２をオン操作する。これによって電動ポンプ２６が駆動され内容液を吐出することができる。吐出操作部材６１の押下操作が解除されると仲介部６６はその樹脂ばね構造により吐出操作部材６１を伴い上動復帰し、吐出スイッチ６２もオフ状態に自動復帰する。従って、吐出操作部材６１に復帰のための特別な付勢手段を働かせる必要はない。なお、吐出操作部材６１の復帰位置は開口６４ｂの後縁との図６、図７に見られるような当接関係などによって記載でき、不用意に上動したり、操作部３０から起き上がるようなことはない。
【００５０】
このように吐出操作部材６１がレバータイプであるとそのレバー比を利用して操作抵抗を軽減できる。それには、図６、図７に示すように吐出操作部材６１の最後部に回動中心位置を設定するのがレバー比を最大に取れて好適となる。しかし、吐出操作部材６１は非レバータイプのものとしてもよく、それには、上下摺動できるように前後の左右に設けた図示しない摺動突起を開口６４ｂの外周壁６４ａないしは内周壁６４ｇに形成した図示しない摺動溝に上方から弾性係合させながら吐出操作部材６１を開口６４ｂに嵌め入れて支持するなどして対応できる。
【００５１】
最後に、吐出操作部材６１は図１に示すように左右方向に上に凸に湾曲し、前部から後部に斜め上に傾斜し、またはおよびゆるく上に凸に湾曲した操作部３０における最高位置、つまり上に凸の三次元形状面の頂点にあるので、認識されやすいし、他の邪魔なしに操作しやすいものといえる。また、その位置は左右方向の中央位置で、しかも、張り出し部３１の器体１側、特に器体１からの張り出し基部側にあって、定置された器体１の操作部３０における押下操作に最も安定な位置となり、器体１は微動だにせず吐出操作に対する安心感を与えられる。しかも、これによって、吐出操作部材６１は蓋１３の前後方向で最も高い前部側でかつ左右の最上部である中央部に位置する、従って蓋１３の上に凸の三次元面の頂点に位置し、操作性の高いロック解除部材２３と隣接して前後に並び、器体１上面で協働した前後の方向性を有した１つのアクセントをなしながら、相互は操作部３０と蓋１３との割線に仕切られて、目的に応じた選択操作が混乱なく達成されるようになる。同時に、吐出操作部材６１は図１に示すように蒸気通路１２５の蒸気が外部に出る外側開口１２５ｂからも、かつ吐出口２５ｄからも、遠くに位置して、吐出操作において蒸気の影響を受け難い利点があるし、外側開口１２５ｂ、吐出口２５ｄのいずれかに近すぎると蒸気の結露水の影響が強まり必須となる排水構造を省略できる利点もある。
【００５２】
また、液晶表示部５５は、図１、図３、図４に示すように吐出操作部材６１の配置位置に対し前記三次元面をなす操作部３０における左側に片寄って位置し、液晶表示部５５の内側に設けられる液晶表示モジュール６８が周溝６４から側方へ離れて位置することになるので、周溝６４に捕集し、また排水する浸入水から保護しやすい。しかも、液晶表示モジュール６８は周溝６４からの排水孔８１ｄ、排水孔６４ｆ、排水孔７４、９１の下端開口よりも高い位置にあって排水が及ぶのを防止しやすい。
【００５３】
図１０、図１１に示す例では、液晶表示部５５を吐出操作部材６１に対し周溝６４の最低位部６４ｄから遠い側、つまり操作部３０の前部側に寄って配置してある。これにより、液晶表示モジュール６８が周溝６４の捕集位置、排水位置からさらに遠い位置となって、しかも周溝６４からの排水孔８１ｄ、排水孔６４ｆ、排水孔７４、９１の下端開口よりも高い位置にあることを確保して浸入水や排水が及ぶのをさらに防止しやすいものとしている。他の構造は先の例と特に変わるところはないので、詳細な図示および説明は省略する。なお、図中先の例と共通する説明対象には同一の符号を付してある。
【産業上の利用可能性】
【００５４】
本発明は家庭用の電気ポットに実用して、独立した吐出操作部材が上方から着脱してメンテナンスができる構造にて、特別なシール部材のない安価な構造にて電気装備品に対する吐出操作部材まわりからの浸入水の影響をなくせるようになる。
【図面の簡単な説明】
【００５５】
【図１】本発明に係る電気貯湯容器の器体上部における操作部とこれに隣れる器体開口および器体開口を閉じる蓋との関連構造を示す斜視図である。
【図２】図１の操作部に設けられる吐出操作部材とそれを図１の操作部の周溝内に押下操作できるように支持する支持部材とを示す分解斜視図である。
【図３】図１の操作部の平面図である。
【図４】図３のＡ−Ａ線で見た断面図である。
【図５】図１の吐出操作部材と、操作部の吐出操作部材配置位置を除く部分にシール性を有して貼り合わせる銘板との配置関係を示す平面図である。
【図６】図３、図４の中央縦断側面図である。
【図７】図４の周溝の左側底部に沿った縦断側面図である。
【図８】図１の器体の上端部を持った本発明に係る電気貯湯容器の正面図である。
【図９】図８の電気貯湯容器の縦断側面図である。
【図１０】図３に示す操作部の例に対する変形例を示す平面図である。
【図１１】図１０の中央縦断側面図である。
【符号の説明】
【００５６】
１ 器体
１１ ヒータ
１２ 開口
１３ 蓋
２５  吐出路
２５ｄ  吐出口
２６  電動ポンプ
３０  操作部
３１  張り出し部
４０  前傾時、横転時止水弁
４１、４２、４３  スイッチ操作部
４４、６７  開口
４５  銘板
４６〜４８  位置表示
４９〜５１  ランプ表示部
５２〜５４  文字表示
５５  液晶表示部
６１  吐出操作部材
６１ｂ  取り付け片
６１ｃ  軸
６２  吐出スイッチ
６３  操作域
６４  周溝
６４ａ  外周壁
６４ｂ  開口
６４ｃ  底部
６４ｄ  最低位部
６４ｆ、７４、８１ｄ、９１  排水孔
６４ｇ  内周壁
６４ｈ  取り付け孔
６５  隙間
６６  仲介部
６８  液晶表示モジュール
７１  表示基板
７２  制御基板
７３  電源基板
７７、７８、７９  カバーケース
８１  支持部材
８１ａ  軸受片
８１ｆ  軸受孔
８１ｅ  取り付けボス
８３  ねじ
【図１】
2008220411.tif 000003
【図２】
2008220411.tif 000004
【図３】
2008220411.tif 000005
【図４】
2008220411.tif 000006
【図５】
2008220411.tif 000007
【図６】
2008220411.tif 000008
【図７】
2008220411.tif 000009
【図８】
2008220411.tif 000010
【図９】
2008220411.tif 000011
【図１０】
2008220411.tif 000012
【図１１】
2008220411.tif 000013